(57)【要約】【課題】省電力モードから通常モードに復帰した場合に動作可能になるまでの時間を短縮可能な画像形成技術を提供する。【解決手段】コントローラボード８は、省電力モードから前記通常モードに移行する場合に有効となる復帰監視信号を生成する信号生成手段を有する。エンジン制御ボード１０は、省電力モードから通常モードに移行する際、ＰＳＵ６から直流電圧が供給されると、信号生成手段が生成した復帰監視信号が有効か否かを判別し、当該判別結果に応じて、主電源スイッチ７における切り替えによりＰＳＵ６への交流電源の供給が開始された場合に必要な初期処理を行うか否かを決定する。【選択図】        図１
2008073918.tif 000002
【特許請求の範囲】
【請求項１】
熱を発生させる熱発生手段と、画像読取手段が読み取った画像を形成するための潜像を前記熱発生手段により加熱された定着部材により記録紙に転写して前記記録紙に定着させる画像形成手段と、前記熱発生手段及び前記画像形成手段を制御する第１制御手段と、交流電源から供給される交流電圧を直流電圧に変換して出力する直流電源手段と、前記第１制御手段及び前記直流電源手段を制御する第２制御手段と、前記直流電源手段への交流電源からの交流電圧の供給又は供給の停止を切り替える電源切替手段とを有し、通常モードと省電力モードとの動作モードのうちいずれかに設定され、前記直流電源手段は、前記通常モードに設定された場合、前記熱発生手段、前記画像形成手段、前記第１制御手段及び前記第２制御手段へ直流電圧を供給し、前記省電力モードに設定された場合、前記熱発生手段、前記画像形成手段、前記第１制御手段及び前記第２制御手段への直流電圧の供給を少なくとも低減する画像形成装置において、
前記省電力モードから前記通常モードに移行する場合に有効となる復帰監視信号を生成する信号生成手段を更に有し、
前記第１制御手段は、前記省電力モードから前記通常モードに移行する際、前記直流電源手段から直流電圧が供給されると、前記信号生成手段が生成した復帰監視信号が有効か否かを判別し、当該判別結果に応じて、前記電源切替手段における切り替えにより前記直流電源手段への交流電源からの交流電圧の供給が開始された場合に必要な初期処理を行うか否かを決定する
ことを特徴とする画像形成装置。
【請求項２】
前記初期処理は、前記交流電源の周波数を検出する処理である
ことを特徴とする請求項１に記載の画像形成装置。
【請求項３】
前記第１制御手段は、前記判別結果が肯定的である場合、前記交流電源の周波数を検出する処理を行わない
ことを特徴とする請求項１に記載の画像形成装置。
【請求項４】
前記直流電源手段は、前記第１制御手段への直流電圧の供給を停止し、
前記信号生成手段は、前記第２制御手段に備わり、
前記第１制御手段と前記第２制御手段との間に前記信号生成手段が生成した復帰監視信号を伝達する信号伝達手段を更に有し、
前記第１制御手段は、前記省電力モードから前記通常モードに移行する際、前記直流電源手段から直流電圧が供給されると、前記信号伝達手段を介して伝達される復帰監視信号が有効か否かを判別する
ことを特徴とする請求項１に記載の画像形成装置。
【請求項５】
前記信号生成手段は、前記第１制御手段に備わり、
前記直流電源手段は、前記省電力モードに設定された場合、前記信号生成手段へ低位の直流電圧を供給する
ことを特徴とする請求項１に記載の画像形成装置。
【請求項６】
前記直流電源手段から出力される直流電圧の電圧値が所定値以下である場合、第１レベルの電圧監視信号を出力し、前記直流電源手段から出力される直流電圧の電圧値が所定値より大きい場合、第２レベルの電圧監視信号を出力する電圧値監視手段を更に有し、
前記第２制御手段は、前記直流電源手段から出力される直流電圧の供給を制御するための電源制御信号を出力する電源制御手段を更に備え、
前記電源制御手段は、前記通常モードに設定された場合、第１レベルの電源制御信号を出力し、前記省電力モードに設定された場合、第２レベルの電源制御信号を出力し、
前記直流電源手段は、前記電源制御手段が第１レベルの電源制御信号を出力したとき、前記熱発生手段、前記画像形成手段、前記第１制御手段及び前記第２制御手段へ直流電圧を供給し、前記電源制御手段が第２レベルの電源制御信号を出力したとき、前記熱発生手段、前記画像形成手段、前記第１制御手段及び前記第２制御手段への直流電圧の供給を低減し、
前記信号生成手段は、前記直流電源手段から直流電圧が供給され且つ前記電源制御信号が第１レベルから第２レベルに変化するときに、第２レベルの復帰監視信号を出力し、
前記第１制御手段は、前記信号生成手段が出力した復帰監視信号が第２レベルであるとき、当該復帰監視信号が有効であると判別する
ことを特徴とする請求項１に記載の画像形成装置。
【請求項７】
前記信号生成手段は、前記直流電源手段から直流電圧が供給され且つ前記電圧監視信号が第１レベルであるときに、第１レベルの復帰監視信号を出力し、
前記第１制御手段は、前記信号生成手段が出力した復帰監視信号が第１レベルであるとき、当該復帰監視信号が無効であると判別する
ことを特徴とする請求項４に記載の画像形成装置。
【請求項８】
前記信号生成手段は、入出力ポートを備え、
前記信号生成手段は、前記省電力モードから前記通常モードに移行する場合に有効となる復帰監視信号を前記入出力ポートに出力し、
前記第１制御手段は、前記省電力モードから前記通常モードに移行する際、前記直流電源手段から直流電圧が供給されると、前記信号生成手段が前記入出力ポートに出力した前記復帰監視信号が有効か否かを判別する
ことを特徴とする請求項１に記載の画像形成装置。
【請求項９】
前記第１制御手段及び第２制御手段は各々、中央演算装置、記憶装置及び集積回路を少なくとも備え、別個の基板上に配設される
ことを特徴とする請求項１に記載の画像形成装置。
【請求項１０】
熱を発生させる熱発生手段と、前記画像読取手段が読み取った画像を形成するための潜像を前記熱発生手段により加熱された定着部材により記録紙に転写して前記記録紙に定着させる画像形成手段と、前記熱発生手段及び前記画像形成手段を制御する第１制御手段と、交流電源から供給される交流電圧を直流電圧に変換して出力する直流電源手段と、前記第１制御手段及び前記直流電源手段を制御する第２制御手段と、前記直流電源手段への交流電源の供給又は供給の停止を切り替える電源切替手段とを有し、通常モードと省電力モードとの動作モードのうちいずれかに設定され、前記直流電源手段は、前記通常モードに設定された場合、前記熱発生手段、前記画像形成手段、前記第１制御手段及び前記第２制御手段へ直流電圧を供給し、前記省電力モードに設定された場合、前記熱発生手段、前記画像形成手段、前記第１制御手段及び前記第２制御手段への直流電圧の供給を少なくとも低減する画像形成装置が、前記省電力モードから前記通常モードに移行する場合に有効となる復帰監視信号を生成する信号生成ステップと、
前記第１制御手段が、前記省電力モードから前記通常モードに移行する際、前記直流電源手段から直流電圧が供給されると、前記信号生成手段が生成した復帰監視信号が有効か否かを判別し、当該判別結果に応じて、前記電源切替手段における切り替えにより前記直流電源手段への交流電源からの交流電圧の供給が開始された場合に必要な初期処理を行うか否かを決定する判別ステップとを有する
ことを特徴とする制御方法。
【請求項１１】
請求項１０に記載された方法をコンピュータで実行させることを特徴とする制御プログラム。
【発明の詳細な説明】
【技術分野】
【０００１】
本発明は、少なくとも２つの基板を備える画像形成装置に関するものであり、特に設定モードの移行時に２つの基板において制御を行う画像形成装置、制御方法及び制御プログラムに関する。
【背景技術】
【０００２】
従来より、スキャナ、プロッタ、定着ヒータなどの画像の形成に係るエンジンと、２つの制御ボードとを備える画像形成装置がある（例えば、特許文献１参照）。このような画像形成装置においては、例えば、一方の制御ボード（エンジン制御ボード）は、エンジンを制御し、一方の制御ボード（コントローラボード）は、画像形成装置全体を制御する。画像形成装置の主電源が投入されると、各種処理を行うための通常モードで起動され、コントローラボードにもエンジン制御ボードにも電力が供給される。このような画像形成装置の中には、待機状態などに電力の消費量を抑えるために省電力モードに設定されるものがある。省電力モードに設定された画像形成装置では、コントローラボードへの電力の供給量が低減され、エンジン制御ボードへは電力が供給されないか又はその供給量が低減される。コントローラボード及びエンジン制御ボードへの十分な電力の供給は、設定が省電力モードから通常モードに復帰するときに再開される。通常モードに設定されると、エンジン制御ボードでは、まず、初期処理として、例えば、ＡＣ電源の周波数（５０Ｈｚまたは６０Ｈz）を確認するために、当該周波数を検出する処理を行っている。この処理は、主電源がＯＮされたときの起動によって通常モードに設定された場合には必要であるが、省電力モードからの復帰によって通常モードに設定された場合には、省略可能である。なぜなら、省電力モード設定時に主電源が切れるわけではないので、省電力モード設定時から周波数は変化していないと考えられるからである。
【０００３】
【特許文献１】特開２００６−１５５３９１号公報
【発明の開示】
【発明が解決しようとする課題】
【０００４】
しかし、従来の技術においては、省電力モードからの復帰により通常モードに設定された場合にも、周波数を検出する処理を行っていたため、通常モードに復帰して動作可能になるまでに時間が必要以上にかかる恐れがあった。
【０００５】
本発明は、上記に鑑みてなされたものであって、省電力モードから通常モードに復帰した場合に動作可能になるまでの時間を短縮可能な画像形成装置、制御方法及び制御プログラムを提供することを目的とする。
【課題を解決するための手段】
【０００６】
上述した課題を解決し、目的を達成するために、請求項１にかかる発明は、画像形成装置であって、熱を発生させる熱発生手段と、画像読取手段が読み取った画像を形成するための潜像を前記熱発生手段により加熱された定着部材により記録紙に転写して前記記録紙に定着させる画像形成手段と、前記熱発生手段及び前記画像形成手段を制御する第１制御手段と、交流電源から供給される交流電圧を直流電圧に変換して出力する直流電源手段と、前記第１制御手段及び前記直流電源手段を制御する第２制御手段と、前記直流電源手段への交流電源からの交流電圧の供給又は供給の停止を切り替える電源切替手段とを有し、通常モードと省電力モードとの動作モードのうちいずれかに設定され、前記直流電源手段は、前記通常モードに設定された場合、前記熱発生手段、前記画像形成手段、前記第１制御手段及び前記第２制御手段へ直流電圧を供給し、前記省電力モードに設定された場合、前記熱発生手段、前記画像形成手段、前記第１制御手段及び前記第２制御手段への直流電圧の供給を少なくとも低減する画像形成装置において、前記省電力モードから前記通常モードに移行する場合に有効となる復帰監視信号を生成する信号生成手段を更に有し、前記第１制御手段は、前記省電力モードから前記通常モードに移行する際、前記直流電源手段から直流電圧が供給されると、前記信号生成手段が生成した復帰監視信号が有効か否かを判別し、当該判別結果に応じて、前記電源切替手段における切り替えにより前記直流電源手段への交流電源からの交流電圧の供給が開始された場合に必要な初期処理を行うか否かを決定することを特徴とする。
【０００７】
請求項２にかかる発明は、請求項１にかかる発明において、前記初期処理は、前記交流電源の周波数を検出する処理であることを特徴とする。
【０００８】
請求項３にかかる発明は、請求項１にかかる発明において、前記第１制御手段は、前記判別結果が肯定的である場合、前記交流電源の周波数を検出する処理を行わないことを特徴とする。
【０００９】
請求項４にかかる発明は、請求項１にかかる発明において、前記直流電源手段は、前記第１制御手段への直流電圧の供給を停止し、前記信号生成手段は、前記第２制御手段に備わり、前記第１制御手段と前記第２制御手段との間に前記信号生成手段が生成した復帰監視信号を伝達する信号伝達手段を更に有し、前記第１制御手段は、前記省電力モードから前記通常モードに移行する際、前記直流電源手段から直流電圧が供給されると、前記信号伝達手段を介して伝達される復帰監視信号が有効か否かを判別することを特徴とする。
【００１０】
請求項５にかかる発明は、請求項１にかかる発明において、前記信号生成手段は、前記第１制御手段に備わり、前記直流電源手段は、前記省電力モードに設定された場合、前記信号生成手段へ低位の直流電圧を供給することを特徴とする。
【００１１】
請求項６にかかる発明は、請求項１にかかる発明において、前記直流電源手段から出力される直流電圧の電圧値が所定値以下である場合、第１レベルの電圧監視信号を出力し、前記直流電源手段から出力される直流電圧の電圧値が所定値より大きい場合、第２レベルの電圧監視信号を出力する電圧値監視手段を更に有し、前記第２制御手段は、前記直流電源手段から出力される直流電圧の供給を制御するための電源制御信号を出力する電源制御手段を更に備え、前記電源制御手段は、前記通常モードに設定された場合、第１レベルの電源制御信号を出力し、前記省電力モードに設定された場合、第２レベルの電源制御信号を出力し、前記直流電源手段は、前記電源制御手段が第１レベルの電源制御信号を出力したとき、前記熱発生手段、前記画像形成手段、前記第１制御手段及び前記第２制御手段へ直流電圧を供給し、前記電源制御手段が第２レベルの電源制御信号を出力したとき、前記熱発生手段、前記画像形成手段、前記第１制御手段及び前記第２制御手段への直流電圧の供給を低減し、前記信号生成手段は、前記直流電源手段から直流電圧が供給され且つ前記電源制御信号が第１レベルから第２レベルに変化するときに、第２レベルの復帰監視信号を出力し、前記第１制御手段は、前記信号生成手段が出力した復帰監視信号が第２レベルであるとき、当該復帰監視信号が有効であると判別することを特徴とする。
【００１２】
請求項７にかかる発明は、請求項４にかかる発明において、前記信号生成手段は、前記直流電源手段から直流電圧が供給され且つ前記電圧監視信号が第１レベルであるときに、第１レベルの復帰監視信号を出力し、前記第１制御手段は、前記信号生成手段が出力した復帰監視信号が第１レベルであるとき、当該復帰監視信号が無効であると判別することを特徴とする。
【００１３】
請求項８にかかる発明は、請求項１にかかる発明において、前記信号生成手段は、入出力ポートを備え、前記信号生成手段は、前記省電力モードから前記通常モードに移行する場合に有効となる復帰監視信号を前記入出力ポートに出力し、前記第１制御手段は、前記省電力モードから前記通常モードに移行する際、前記直流電源手段から直流電圧が供給されると、前記信号生成手段が前記入出力ポートに出力した前記復帰監視信号が有効か否かを判別することを特徴とする。
【００１４】
請求項９にかかる発明は、請求項１にかかる発明において、前記第１制御手段及び第２制御手段は各々、中央演算装置、記憶装置及び集積回路を少なくとも備え、別個の基板上に配設されることを特徴とする。
【００１５】
請求項１０にかかる発明は、制御方法であって、熱を発生させる熱発生手段と、前記画像読取手段が読み取った画像を形成するための潜像を前記熱発生手段により加熱された定着部材により記録紙に転写して前記記録紙に定着させる画像形成手段と、前記熱発生手段及び前記画像形成手段を制御する第１制御手段と、交流電源から供給される交流電圧を直流電圧に変換して出力する直流電源手段と、前記第１制御手段及び前記直流電源手段を制御する第２制御手段と、前記直流電源手段への交流電源の供給又は供給の停止を切り替える電源切替手段とを有し、通常モードと省電力モードとの動作モードのうちいずれかに設定され、前記直流電源手段は、前記通常モードに設定された場合、前記熱発生手段、前記画像形成手段、前記第１制御手段及び前記第２制御手段へ直流電圧を供給し、前記省電力モードに設定された場合、前記熱発生手段、前記画像形成手段、前記第１制御手段及び前記第２制御手段への直流電圧の供給を少なくとも低減する画像形成装置が、前記省電力モードから前記通常モードに移行する場合に有効となる復帰監視信号を生成する信号生成ステップと、前記第１制御手段が、前記省電力モードから前記通常モードに移行する際、前記直流電源手段から直流電圧が供給されると、前記信号生成手段が生成した復帰監視信号が有効か否かを判別し、当該判別結果に応じて、前記電源切替手段における切り替えにより前記直流電源手段への交流電源からの交流電圧の供給が開始された場合に必要な初期処理を行うか否かを決定する判別ステップとを有することを特徴とする。
【００１６】
請求項１１にかかる発明は、制御プログラムであって、請求項１０に記載された方法をコンピュータで実行させることを特徴とする。
【発明の効果】
【００１７】
本発明によれば、省電力モードから通常モードに復帰した場合に、前記交流電源の周波数を検出する処理を省略することが可能であるため、通常モードで動作可能になるまでの時間を短縮可能である。
【００１８】
また、本発明によれば、第２制御手段が信号生成手段を備えることにより、省電力モードの設定時に第１制御手段への電力の供給を停止することが可能になるため、より有効な省電力が実現できる。
【００１９】
また、本発明によれば、第１制御手段が信号生成手段を備えることにより、復帰監視信号を信号生成手段から第１制御手段へ容易に伝達することができる。
【００２０】
また、本発明によれば、信号生成手段が入出力ポートを備え、生成した復帰監視信号を入出力ポートに出力することにより、第１制御手段が行う判別はプログラムの実行により実現可能になる。
【００２１】
また、本発明によれば、電圧値監視手段が出力した電圧監視信号と、電源制御手段が出力した電源制御信号とを用いて、復帰監視信号を生成することにより、信号生成手段を電子回路により実現可能である。
【発明を実施するための最良の形態】
【００２２】
以下に添付図面を参照して、この発明にかかる画像形成装置、制御方法及び制御プログラムの最良な実施の形態を詳細に説明する。
【００２３】
[第１の実施の形態]
（１）構成
図１は、本発明の第１の実施の形態にかかる画像形成装置１の構成を示すブロック図である。本図に示すように画像形成装置１は、スキャナ２と、プロッタ３と、定着ヒータ４と、ＰＳＵ６と、主電源スイッチ７と、コントローラボード８と、エンジン・コントローラ・Ｉ／Ｆ９と、エンジン制御ボード１０とを備える。
【００２４】
コントローラボード８及びエンジン制御ボード１０は各々、ＰＳＵ６とバス（図示せず）を介して接続され、ＰＳＵ６から供給される直流電圧により動作する。また、エンジン制御ボード１０は、スキャナ２、プロッタ３及び定着ヒータ４とバス（図示せず）を介して接続され、これらの動作を制御する。更に、エンジン制御ボード１０は、エンジン・コントローラ・Ｉ／Ｆ９及び信号線１１を介してコントローラボード８と接続され、コントローラボード８と信号の送受信を行う。コントローラボード８は、エンジン制御ボード１０及びＰＳＵ６を制御し、画像形成装置１全体を制御する。
【００２５】
スキャナ２は、コントローラボード８の制御の下、セットされた原稿を読み取り、読み取った画像をプロッタ３に供給する。プロッタ３は、コントローラボード８の制御の下、スキャナ２から供給された画像を記録紙に印刷する印刷装置であり、定着ヒータ４により加熱される定着部材（図示せず）により記録紙に転写されたトナーを記録紙に定着させる。
【００２６】
ＰＳＵ(Power Supply Unit)６は、ＡＣ（Alternating Current）電源から供給される交流電圧を直流電圧に変換し、この直流電圧をコントローラボード８に供給し、コントローラボード８の制御の下、直流電圧をスキャナ２、プロッタ３、定着ヒータ４及びエンジン制御ボード１０に供給する。主電源スイッチ７は、ＰＳＵ６へのＡＣ電源の供給及び供給の停止を切り替えるものである。
【００２７】
図２は、コントローラボード８とエンジン制御ボード１０との内部構成を主に示すブロック図である。コントローラボード８は、１つの基板で構成され、ＣＰＵ８ａと、ＡＳＩＣ８ｂと、ＲＯＭ８ｃと、ＲＡＭ８ｄとを備え、更に、信号生成部８ｅと、電源監視ＩＣ８ｆとを備える。ＣＰＵ８ａは、図示しないタイマを備え、エンジン制御ボード１０及びＰＳＵ６を制御することにより、画像形成装置１全体を制御する。また、ＣＰＵ８ａは、図示しない操作パネルと接続され、当該操作パネルを介して入力されたユーザからの指示入力を受け付け、当該指示入力に従って、各種処理を行う。例えば、ＣＰＵ８ａは、主電源スイッチ７がＯＮになり、ＰＳＵ６から高位の直流電圧（例えば、５Ｖ）が供給されると、通常モードで起動するための制御処理を行う。その後、ＣＰＵ８ａは、画像形成装置１が待機状態になってから所定の時間が経過したことをタイマにより検知した場合、省電力モードに移行するための制御処理を行う。その後、操作パネルを介して通常モードに復帰する指示入力を検知した場合、ＣＰＵ８ａは、通常モードで起動するための制御処理を行う。ＲＯＭ８ｃには、ＣＰＵ８ａが画像形成装置１全体を制御するための制御プログラムや各種処理を行うための各種プログラムやデータが記憶されている。ＡＳＩＣ８ｂは、エンジン・コントローラＩ／Ｆ９を介してエンジン制御ボード１０と信号の送受信を行う。また、ＡＳＩＣ８ｂは、ＰＳＵ６からスキャナ２、プロッタ３、定着ヒータ４及びエンジン制御ボード１０への直流電圧の供給を制御する。具体的には、ＡＳＩＣ８ｂは、ＰＳＵ６から低位（例えば５ＶＥ）の直流電圧が供給されると印加され、以下に説明する電圧監視信号がＨｉｇｈレベルになると、動作を開始し、Ｌｏｗレベルの電源制御信号を出力する。また、ＡＳＩＣ８ｂは、ＣＰＵ８ａの制御の下、省電力モードに移行する際に、Ｈｉｇｈレベルの電源制御信号を出力する。尚、Ｌｏｗレベルの電源制御信号は、ＰＳＵ６からスキャナ２、プロッタ３、定着ヒータ４及びエンジン制御ボード１０への高位（例えば５Ｖ）の直流電圧の供給を指示する旨を示し、Ｈｉｇｈレベルの電源制御信号は、ＰＳＵ６からスキャナ２、プロッタ３、定着ヒータ４及びエンジン制御ボード１０への高位の直流電圧の供給の停止を指示する旨を示す。
【００２８】
電源監視ＩＣ８ｆは、ＰＳＵ６から低位の直流電圧が供給されると印加され、その電圧値が徐々に増加して所定電圧（例えば、４．２Ｖ以上）になってから所定時間（例えば、５０ｍｓｅｃ）が経過すると、Ｈｉｇｈレベルの電圧監視信号を出力する。従って、直流電圧が印加された直後には、電源監視ＩＣ８ｆは、Ｌｏｗレベルの電圧監視信号を出力する。
【００２９】
信号生成部８ｅは、例えば７４ＡＨＣＴ７４などの電子部品を用いて構成される電子回路である。図３は、信号生成部８ｅの構成を例示するブロック図である。同図に示されるように、信号生成部８ｅは、ＳＥＴ端子、ＲＥＳＥＴ端子、ＣＬＫ端子、Ｄ端子及びＱ端子を備える。図４は、信号生成部８ｅのＳＥＴ端子、ＲＥＳＥＴ端子、ＣＬＫ端子、Ｄ端子に各々入力される信号の状態と、Ｑ端子から出力される信号の状態とを示すタイミングチャートである。ＣＬＫ端子には電源制御信号（ＰＯＮＥＮＧ＿Ｎ）が入力され、ＲＥＳＥＴ端子には電圧監視信号（ＲＥＳＥＴ＿５ＶＥ＿Ｎ）が入力される。Ｄ端子及びＳＥＴ端子には、低位の直流電圧が印加されているときに、Ｈｉｇｈレベルとなる信号が入力される。そして、ＣＬＫ端子に入力される電源制御信号のエッジが立ち上がるタイミングで、Ｄ端子に入力されている信号がＱ端子に出力される。このＱ端子に出力される信号を復帰監視信号（ＦＩＫＫＩ）とする。また、ＲＥＳＥＴ端子に入力された電圧監視信号がＬｏｗレベルとなったときに、Ｑ端子からＬｏｗレベルの復帰監視信号が出力される。
【００３０】
エンジン制御ボード１０は、１つの基板で構成され、ＣＰＵ１０ａと、ＡＳＩＣ１０ｂと、ＲＯＭ１０ｃと、ＲＡＭ１０ｄとを備える。ＡＳＩＣ１０ｂは、エンジン・コントローラＩ／Ｆ９を介してコントローラボード８のＡＳＩＣ８ｂと信号の送受信を行う。また、ＡＳＩＣ１０ｂは、信号線１１を介してコントローラボード８の信号生成部８ｅから出力された復帰監視信号を検出する。
【００３１】
ＣＰＵ１０ａは、ＰＳＵ６から高位の直流電圧が供給されると、通常モードで起動するための制御処理を行い、コントローラボード８の制御の下、スキャナ２、プロッタ３及び定着ヒータ４を制御する。また、省電力モードに移行するとＰＳＵ６からエンジン制御ボード１０への直流電圧の供給が停止されるため、エンジン制御ボード１０は休止状態となる。省電力モードから通常モードに復帰する際には、ＰＳＵ６からエンジン制御ボード１０への直流電圧の供給が再開されるため、ＣＰＵ１０ａは、コントローラボード８の制御の下、通常モードで起動するための制御処理を行う。本実施の形態においては、ＣＰＵ１０ａは、通常モードで起動するための制御処理を開始したときに、ＡＳＩＣ１０ｂが検出した復帰監視信号がアサートされているかネゲートされているかを判別する。即ち、ＣＰＵ１０ａは、信号生成部８ｅのＱ端子に出力された復帰監視信号がＨｉｇｈレベル（論理レベル‘１’）かＬｏｗレベル（論理レベル‘０’）かを判別する。この判別結果が否定的であれば、ＣＰＵ１０ａは、ＡＣ電源の周波数を検出する処理（周波数検出処理）を行い、判別結果が肯定的であれば、周波数検出処理を省略する。
【００３２】
周波数検出処理では、ＣＰＵ８ａは、ＰＳＵ６から供給されるＡＣ電源の位相（電圧値）を一定時間毎にチェックする。周波数が５０Ｈｚの場合、周期は２０ｍｓｅｃなので２０ｍｓｅｃ毎に電圧値をチェックし、そのチェック毎に同じ電圧値であれば、ＡＣ電源の位相は５０Ｈｚと判別する。周波数が６０Ｈｚの場合、周期は１６．６６ｍｓｅｃなので、１６．６６ｍｓｅｃ毎に電圧値をチェックし、そのチェック毎に同じ電圧値であれば、ＡＣ電源の位相は６０Ｈｚと判別する。尚、ＡＣ電源にはノイズも有るので、何回か繰り返し同じチェックを行い、ノイズかどうかの判別も行う。現在の方法では、チェックのための時間は、最低でも５００ｍｓｅｃが必要となっている。
【００３３】
尚、このような周波数検出処理が必要な理由は以下の通りである。主電源が投入された直後は、定着ヒータ４のヒータフィラメントの温度が低いので、定着ヒータ４に直流電圧が供給されると、定着ヒータ４に定格電流以上の突入電流が流れることになる。この突入電流により照明ちらつきが発生することがある。このちらつきを抑制するためには、ヒータ点灯位相角を徐々に広げていくソフトスタートが有効である。従って、位相角制御を精度高く行なうためにＡＣ電源の周波数を検出することが必要となる。
【００３４】
エンジン・コントローラＩ／Ｆ９は、上述したように、コントローラボード８のＡＳＩＣ８ｂとエンジン制御ボード１０のＡＳＩＣ１０ｂとの間の信号の送受信を仲介する。尚、エンジン・コントローラＩ／Ｆ９が開通するのは、コントローラボード８のＲＯＭ８ｃに格納されているプログラムが全てＲＡＭ８ｄにロードされると共に、エンジン制御ボード１０のＲＯＭ１０ｃに格納されているプログラムが全てＲＡＭ１０ｄにロードされた後である。
【００３５】
（２）動作
次に、本実施の形態におけるコントローラボード８の行う復帰検出処理の手順を説明する。図５は、本実施の形態におけるコントローラボード８の行う復帰検出処理の手順を示すフローチャートである。
【００３６】
ユーザにより主電源スイッチ７がＯＮにされると、ＰＳＵ６は、ＡＣ電源から供給される交流電圧を直流電圧に変換して、低位（例えば５ＶＥ）の直流電圧を信号生成部８ｅ、コントローラボード８のＡＳＩＣ８ｂ、電源監視ＩＣ８ｆに供給する。そして、ＰＳＵ６は、供給する電圧値を徐々に増加させ、一定の高位（例えば５Ｖ）に達すると、その電圧値を維持する。電源監視ＩＣ８ｆは、ＰＳＵ６から供給される直流電圧の値が徐々に増加して所定電圧（例えば、４．２Ｖ以上）になってから所定時間（例えば、５０ｍｓｅｃ）が経過すると、Ｈｉｇｈレベルの電圧監視信号を出力する。コントローラボード８の有する各部は、電圧監視信号がＨｉｇｈレベルになると動作可能になり、ＣＰＵ８ａは、ＲＯＭ８ｃに記憶された制御プログラムをＲＡＭ８ｄに読み出し制御プログラムを実行する処理を開始する。ＡＳＩＣ８ｂは、Ｌｏｗレベルの電源制御信号を出力する。Ｌｏｗレベルの電源制御信号が供給されると、ＰＳＵ６は高位の直流電圧を、スキャナ２、プロッタ３、定着ヒータ４及びエンジン制御ボード１０に供給する。エンジン制御ボード１０に高位の直流電圧が供給されると、エンジン制御ボード１０の有する各部は動作可能になる。ＣＰＵ１０ａは、ＲＯＭ１０ｃに記憶された各種プログラムをＲＡＭ１０ｄに読み出してプログラムの実行を開始する。ＡＳＩＣ１０ｂは、信号線１１を介してコントローラボード８の信号生成部８ｅから出力された復帰監視信号を検出する。ＣＰＵ１０ａは、ＡＳＩＣ８ｅが検出した復帰監視信号がＨｉｇｈレベルかＬｏｗレベルかを判定する(ステップＳ１)。ここでは、信号生成部８ｅのＲＥＳＥＴ端子には、Ｈｉｇｈレベルの電源制御信号が入力され、ＣＬＫ端子にはＬｏｗレベルの電圧監視信号が入力される。このため、Ｑ端子には、Ｌｏｗレベルの復帰監視信号が出力される。従って、ここでは、ステップＳ１の判定結果は否定的となるため、ＣＰＵ１０ａは、ステップＳ２に進み、ステップＳ２で周波数検出処理を行う。続いて、ステップＳ３で、ＣＰＵ１０ａは、通常モードで起動するための制御処理を開始する。
【００３７】
その後、画像形成装置１が待機状態になってから所定の時間が経過したことをコントローラボード８のＣＰＵ８ａが検知すると、省電力モードに移行すべく、コントローラボード８のＡＳＩＣ８ｂは、Ｈｉｇｈレベルの電源制御信号を出力する。Ｈｉｇｈレベルの電源制御信号が出力されると、ＰＳＵ６は、スキャナ２、プロッタ３、定着ヒータ４及びエンジン制御ボード１０への直流電圧の供給を停止すると共に、コントローラボード８へ供給する直流電圧を低位の電圧に変更する。このとき、コントローラボード８へは低位であっても直流電圧は供給されるので、電源印加状態は維持される。同様に、直流電圧は供給されるため、Ｄ端子に入力される信号はＨｉｇｈレベルのままである。一方、ＣＬＫ端子に入力される電圧監視信号は、ＬｏｗレベルからＨｉｇｈレベルに変化する。従って、このＣＬＫ端子に入力されるＨｉｇｈレベルの電圧監視信号のエッジの立ち上がりのタイミングで、Ｄ端子の信号がＱ端子に出力される。Ｄ端子に出力される信号はＨｉｇｈレベルであるため、このときＱ端子から出力される復帰監視信号はＨｉｇｈレベルとなる。
【００３８】
その後、省電力モードの設定を解除する指示入力が操作パネルを介して入力されると、コントローラボード８のＣＰＵ８ａは当該指示入力を検知し、通常モードに移行すべく、高位の直流電圧の供給を指示する旨を示す供給指示信号を出力する。供給指示信号が出力されると、ＰＳＵ６は、ＡＣ電源から供給される交流電圧を直流電圧に変換して、これをコントローラボード８に供給する。コントローラボード８の電源監視ＩＣ８ｆは、上述と同様にして、ＰＳＵ６から供給される直流電圧が所定電圧になってから所定時間経過すると、Ｈｉｇｈレベルの電圧監視信号を出力する。コントローラボード８の有する各部は、電圧監視信号がＨｉｇｈレベルになると動作可能になり、ＡＳＩＣ８ｂが、Ｌｏｗレベルの電源制御信号を出力する。Ｌｏｗレベルの電源制御信号が出力されると、ＰＳＵ６は高位の直流電圧を、とスキャナ２、プロッタ３、定着ヒータ４及びエンジン制御ボード１０に供給する。エンジン制御ボード１０に高位の直流電圧が供給されると、エンジン制御ボード１０の有する各部は動作可能になる。エンジン制御ボード１０のＣＰＵ１０ａは、ＲＡＭ１０ｄに読み出されているプログラムを実行し、エンジン制御ボード１０の各部を制御する。そして、ＣＰＵ１０ａは、上述と同様にして、ＡＳＩＣ１０ｂが検出した復帰監視信号がＨｉｇｈレベルかＬｏｗレベルかを判定する(ステップＳ１)。ここでは、信号生成部８ｅのＣＬＫ端子に入力される電圧監視信号はＨｉｇｈレベルからＬｏｗレベルに変化するが、この変化に影響されず、Ｑ端子に出力されるレベルは保持されるため、Ｑ端子である復帰監視信号はＨｉｇｈレベルである。従って、ステップＳ１の判定結果は肯定的となるため、ＣＰＵは、ステップＳ２の周波数検出処理を行わずに、ステップＳ３で通常モードで起動するための制御処理を開始する。
【００３９】
以上のような構成によって、省電力モードの設定時にエンジン制御ボード１０への電力の供給を停止することにより、省電力モードに設定されている旨を示す情報（以下、省電力設定情報という）をエンジン制御ボード１０内で保持できなくとも、電子回路により復帰監視信号を生成し、これを用いて、主電源スイッチ７がＯＦＦからＯＮに切り替わったことにより通常モードで起動する場合と、省電力モードから通常モードに復帰する場合とをエンジン制御ボード１０は判別可能である。そして、後者の場合に、周波数検出処理を省略することにより、通常モードでの動作可能になるまでの時間を短縮可能である。
【００４０】
また、省電力設定情報をコントローラボード８において保持し、省電力モードから通常モードに移行する際に、エンジン・コントローラＩ／Ｆ９を介してコントローラボード８からエンジン制御ボード１０に省電力設定情報を伝達する場合に比べても、省電力モードからの移行の際に通常モードで動作可能になるまでの時間を短縮可能である。なぜなら、エンジン・コントローラＩ／Ｆ９が開通するのは、コントローラボード８及びエンジン制御ボード１０の各ＲＯＭに格納されている全てのプログラムが各ＲＡＭにロードされた後に行われる。このため、エンジン・コントローラＩ／Ｆ９の開通までに時間がかかり、結局、省電力設定情報をエンジン・コントローラＩ／Ｆ９を介して伝達して上述の判別を行う場合にも必要以上に時間がかかる恐れがあるからである。
【００４１】
[第２の実施の形態]
次に、画像形成装置の第２の実施の形態について説明する。なお、上述の第１の実施の形態と共通する部分については、同一の符号を使用して説明したり、説明を省略したりする。
（１）構成
図６は、本実施の形態にかかる画像形成装置の構成を示すブロック図である。本実施の形態にかかる画像形成装置の構成は、上述の第１の実施の形態にかかる画像形成装置の構成とは以下の点で異なる。
【００４２】
本実施の形態においては、エンジン制御ボード１０に、ＡＳＩＣ１０ｂに接続される信号生成部１０ｅを備える。信号生成部１０ｅは、Ｉ／Ｏポート（図示せず）を備える。エンジン制御ボード１０のＲＯＭ１０ｃには、ＣＰＵ１０ａが復帰監視信号を制御するためのプログラムが記憶されている。ＣＰＵ１０ａは、ＲＯＭ１０ｃに記憶されたプログラムをＲＡＭ１０ｄに読み出しこれを実行することにより、ＡＳＩＣ１０ｂを制御して、復帰監視信号の値として、信号生成部１０ｅのＩ／Ｏポートに‘１’又は‘０’Ｉ／Ｏポートを書き込ませる。具体的には、ＡＳＩＣ１０ｂは、通常モードから省電力モードに移行するときに、信号生成部１０ｅのＩ／Ｏポートに‘１’を書き込む。主電源スイッチ７がＯＦＦからＯＮに切り替えられたときには、ＡＳＩＣ１０ｂは、信号生成部１０ｅのＩ／Ｏポートに‘１’を書き込む。エンジン制御ボード１０に高位の直流電圧が供給されて、ＣＰＵ１０ａが、通常モードで起動するための制御処理を行う際、信号生成部１０ｅのＩ／Ｏポートに出力された復帰監視信号の値を参照して、上述の周波数検出処理を行うか否かを決定する。
【００４３】
また、画像形成装置１が待機状態になってから所定の時間が経過して省電力モードに移行する場合、コントローラボード８のＡＳＩＣ８ｂからＨｉｇｈレベルの電源制御信号を出力したとき、ＰＳＵ６は、スキャナ２、プロッタ３及び定着ヒータ４への直流電圧の供給は停止する。しかし、ＰＳＵ６は、エンジン制御ボード１０への直流電圧の供給は停止せず、コントローラボード８への供給と同様に、エンジン制御ボード１０へ供給する直流電圧を低位の電圧に変更する。即ち、本実施の形態においては、コントローラボード８のみならずエンジン制御ボード１０へも低位の直流電圧は供給されるので、エンジン制御ボード１０の電源印加状態は維持される。この低位の直流電圧は、エンジン制御ボード１０の信号生成部１０ｅに供給される。
【００４４】
尚、本実施の形態においては、コントローラボード８には、信号生成部８ｅ及び電源監視ＩＣ８ｆを備えない。また、画像形成装置１は、信号線１１を備えない。
【００４５】
（２）動作
次に、本実施の形態において復帰監視信号を出力する処理の手順及び復帰検出処理の手順について説明する。図７は、本実施の形態において復帰監視信号を出力する処理の手順を示すフローチャートである。復帰検出処理の手順については、上述の図５に示されている。
【００４６】
ユーザにより主電源スイッチ７がＯＮにされると、ＰＳＵ６は、高位の直流電圧をコントローラボード８、エンジン制御ボード１０、スキャナ２、プロッタ３及び定着ヒータ４に供給する。そして、エンジン制御ボード１０のＣＰＵ１０ａは、ＲＯＭ１０ｃに記憶された各種プログラムをＲＡＭ１０ｄに読み出してプログラムの実行を開始する。そして、ＣＰＵ１０ａは、ＡＳＩＣ１０ｂを制御して、復帰監視信号をネゲートさせる（ステップＳ１０）。具体的には、ＡＳＩＣ１０ｂは、信号生成部１０ｅのＩ／Ｏポートに‘０’を書き込む。その後、ＣＰＵ１０ａは、通常モードで起動するための制御処理を開始し、起動のための制御処理を終了すると（ステップＳ１１）、通常モードでの動作を行う。
【００４７】
その後、上述の第１の実施の形態と同様にして、画像形成装置１が待機状態になってから所定時間が経過して省電力モードに移行する場合（ステップＳ１２：ＹＥＳ）、コントローラボード８のＡＳＩＣ８ｂは、Ｈｉｇｈレベルの電源制御信号を出力する。Ｈｉｇｈレベルの電源制御信号が出力されると、ＰＳＵ６は、スキャナ２、プロッタ３及び定着ヒータ４への直流電圧の供給を停止すると共に、コントローラボード８及びエンジン制御ボード１０へ供給する直流電圧を低位の電圧に変更する。このとき、エンジン制御ボード１０へは低位であっても直流電圧は供給されるので、エンジン制御ボード１０の電源印加状態は維持される。このとき、エンジン制御ボード１０のＣＰＵ１０ａは、ＡＳＩＣ１０ｂを制御して、復帰監視信号をアサートさせる（ステップＳ１３）。具体的には、ＡＳＩＣ１０ｂは、信号生成部１０ｅのＩ／Ｏポートに‘１’を書き込む。
【００４８】
そして、上述の第１の実施の形態と同様にして、省電力モードから通常モードに移行すると（ステップＳ１４）、コントローラボード８、エンジン制御ボード１０、スキャナ２、プロッタ３及び定着ヒータ４へ高位の直流電圧が供給される。その後、図５に示されるように、ステップＳ１で、エンジン制御ボード１０のＣＰＵ１０ａは、復帰監視信号がアサートされているか否かを判別する。即ち、ＣＰＵ１０ａは、信号生成部１０ｅのＩ／Ｏポートの値を参照し、これが‘１’であるか否かを判別する。ここでは、ステップＳ１の判別結果は肯定的となるため、ＣＰＵ１０ａは、ステップＳ２の周波数検出処理を行わずに、ステップＳ３で通常モードで起動するための制御処理を開始する。
【００４９】
以上のような構成によれば、復帰監視信号の値をプログラムによって生成可能であり、このように生成した復帰監視信号により、主電源スイッチ７がＯＦＦからＯＮに切り替わったことにより通常モードで起動する場合と、省電力モードから通常モードに復帰する場合とを判別可能である。そして、後者の場合に、周波数検出処理を省略することにより、通常モードでの動作可能になるまでの時間を短縮可能である。
【００５０】
[変形例]
また、上述した各実施の形態に限定されるものではなく、以下に例示するような種々の変形が可能である。
【００５１】
＜変形例１＞
本実施形態の画像形成装置１で実行される制御プログラムなどの各種プログラムを、インターネット等のネットワークに接続されたコンピュータ上に格納し、ネットワーク経由でダウンロードさせることにより提供するように構成しても良い。また、当該各種プログラムを、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成しても良い。
【００５２】
＜変形例２＞
上述した第１の実施の形態における信号生成部８ｅ及び電源監視ＩＣ８ｆをコントローラボード８ではなく、エンジン制御ボード１０に備えるように構成しても良い。このような構成においては、上述の第２の実施の形態と同様に、省電力モードに移行した場合もＰＳＵ６からエンジン制御ボード１０に低位の直流電圧を供給するように構成すれば良い。また、このような構成においては、画像形成装置１に信号線１１を備えないように構成しても良い。この場合、エンジン制御ボード１０のＡＳＩＣ１０ｂが、上述の電源制御信号と同様の信号を生成するように構成しても良い。例えば、ＡＳＩＣ１０ｂは、所定電圧（例えば、４．２Ｖ以上）の直流電流が印加されたとき、Ｌｏｗレベルの信号を出力を出力し、印加される直流電圧が所定電圧より小さいとき、Ｈｉｇｈレベルの信号を出力する。このような構成によれば、上述の第１の実施の形態と同様に、主電源スイッチ７がＯＦＦからＯＮに切り替わったことにより通常モードで起動する場合と、省電力モードから通常モードに復帰する場合とを判別可能である。そして、後者の場合に、周波数検出処理を省略することにより、通常モードでの動作可能になるまでの時間を短縮可能である。
【００５３】
＜変形例３＞
上述の第１の実施の形態においては、省電力モードに移行する場合、ＰＳＵ６からスキャナ２、プロッタ３、定着ヒータ４及びエンジン制御ボード１０への交流電圧の供給を停止するように構成したが、これらのうち少なくとも１つに低位の交流電圧を供給するように構成しても良い。
【００５４】
＜変形例４＞
上述した第２の実施の形態においては、Ｉ／Ｏポートを信号生成部１０ｅに備え、このＩ／Ｏポートに復帰監視信号の値を書き込むように構成した。しかし、これに限らず、ＡＳＩＣ１０ｂに備えるＩ／Ｏポートのうち未使用のものを用いてこれに復帰監視信号の値を書き込むように構成しても良い。
【００５５】
＜変形例５＞
また、上述した第２の実施の形態における信号生成部１０ｅをエンジン制御ボード１０ではなく、コントローラボード８に備えるように構成しても良い。このような構成においては、上述の第１の実施の形態と同様に、信号生成部１０ｅとエンジン制御ボード１０のＡＳＩＣ１０ｂとの間に信号線１１を備え、エンジン制御ボード１０のＡＳＩＣ１０ｂは、当該信号線１１を介して復帰監視信号を検出するように構成しても良い。このような構成においては、上述の第１の実施の形態と同様に、省電力モードに移行した場合は、ＰＳＵ６からエンジン制御ボード１０への直流電圧の供給を停止するように構成しても良い。
【００５６】
＜変形例６＞
上述の第１又は第２の実施の形態においては、充電可能なコンデンサなどを備える充電手段を画像形成装置１に更に備え、省電力モードに設定されているときには、コントローラボード８及びエンジン制御ボード１０のうち少なくとも１つに当該充電手段から低位の直流電圧を供給するように構成しても良い。
【００５７】
＜変形例７＞
上述の第１又は第２の実施の形態におけるステップＳ３では、通常モードで起動するように構成したが、静音起動モードで起動するための制御処理を行うように構成しても良い。静音起動モードとは、モータ等が回らず静かに電源ＯＮ状態を維持して起動するモードである。
【産業上の利用可能性】
【００５８】
以上のように、本発明にかかる画像形成装置、制御方法及び制御プログラムは、少なくとも２つの基板を備える画像形成装置において、設定モードの移行時に２つの基板において制御を行う技術に適している。
【図面の簡単な説明】
【００５９】
【図１】第１の実施の形態にかかる画像形成装置１の構成を示すブロック図である。
【図２】同実施の形態にかかるコントローラボード８とエンジン制御ボード１０との内部構成を主に示すブロック図である。
【図３】同実施の形態にかかる信号生成部８ｅの構成を例示するブロック図である。
【図４】同実施の形態にかかる信号生成部８ｅのＳＥＴ端子、ＲＥＳＥＴ端子、ＣＬＫ端子、Ｄ端子に各々入力される信号の状態と、Ｑ端子から出力される信号の状態とを示すタイミングチャートである。
【図５】同実施の形態にかかるコントローラボード８の行う復帰検出処理の手順を示すフローチャートである。
【図６】第２の実施の形態にかかる画像形成装置の構成を示すブロック図である。
【図７】同実施の形態にかかる復帰監視信号を出力する処理の手順を示すフローチャートである。
【符号の説明】
【００６０】
１  画像形成装置
２  スキャナ
３  プロッタ
４  定着ヒータ
５  操作入力受付部
７  主電源スイッチ
８  コントローラボード
８ａ  ＣＰＵ
８ｂ  ＡＳＩＣ
８ｃ  ＲＯＭ
８ｄ  ＲＡＭ
８ｅ  信号生成部
８ｆ  電源監視ＩＣ
１０  エンジン制御ボード
１０ａ  ＣＰＵ
１０ｂ  ＡＳＩＣ
１０ｃ  ＲＯＭ
１０ｄ  ＲＡＭ
１０ｅ  信号生成部
１１  信号線
【図１】
2008073918.tif 000003
【図２】
2008073918.tif 000004
【図３】
2008073918.tif 000005
【図４】
2008073918.tif 000006
【図５】
2008073918.tif 000007
【図６】
2008073918.tif 000008
【図７】
2008073918.tif 000009